(57)【要約】【課題】空調コントローラにおける曜日間で設定温度スケジュールを比較したり変更したりする際の操作性を高める。【解決手段】空調コントローラ１は、各曜日の設定温度スケジュールを表す縮小表示アイコン１５ａ〜１５ｇを曜日毎に区別して同一画面上で表示させ、縮小表示アイコン１５ａ〜１５ｇのタブ１６ａ〜１６ｇがタッチされると、そのタッチされた曜日の編集画面１７を表示させる。編集画面１７がタブ１６ａ〜１６ｇまでドラッグされてドロップされると、編集された設定温度スケジュールを該当する曜日のスケジュールとして記憶更新し、編集画面が縮小表示アイコン１５ａ〜１５ｇまでドラッグされてドロップされると、編集された設定温度スケジュールを該当する複数曜日のスケジュールとして記憶更新する。【選択図】図１
2010159922.tif 000002
【特許請求の範囲】
【請求項１】
ユーザが操作可能な操作手段と、
ユーザが前記操作手段を操作することで設定可能な設定温度と設定時刻との対応を表す設定温度スケジュールを曜日毎に記憶する記憶手段と、
前記記憶手段に記憶されている設定温度スケジュールを表示する表示手段と、
設定温度スケジュールの表示指令を検知した場合に前記記憶手段に記憶されている設定温度スケジュールを前記表示手段に表示させる処理を行い、前記表示手段に表示されている設定温度スケジュールを編集可能な編集画面の表示指令を検知した場合に編集画面を前記表示手段に表示させる処理を行い、前記表示手段に表示されている編集画面で編集された設定温度スケジュールの記憶更新指令を検知した場合に編集画面で編集された設定温度スケジュールを前記記憶手段に記憶更新させる処理を行う制御手段とを備え、
前記制御手段は、
前記記憶手段に記憶されている設定温度スケジュールを前記表示手段に表示させる機能として、各曜日の設定温度スケジュールを表す縮小表示アイコンを曜日毎に区別して同一画面上で表示させる機能と、縮小表示アイコンに曜日を表すタブを添付して表示させる機能と、同一の設定温度スケジュールを表す複数の縮小表示アイコンを重ねて表示させる機能と、同一の設定温度スケジュールを表す複数の縮小表示アイコンのタブを重ねずに表示させる機能と、同一の設定温度スケジュールを表す複数の縮小表示アイコンについて縮小表示アイコンが重なっていない縮小表示アイコンの設定温度スケジュールを視認可能とし且つ縮小表示アイコンが重なっている縮小表示アイコンの設定温度スケジュールを視認不可能として表示させる機能とを有し、
編集画面を前記表示手段に表示させる機能として、タブがタッチされた場合に当該タッチされたタブの曜日の設定温度スケジュールを編集可能な編集画面を表示させる機能と、編集画面を縮小表示アイコンのタブ側に表示させる機能と、当該タッチされたタブを添付している縮小表示アイコンを継続して表示させる機能とを有し、
編集画面で編集された設定温度スケジュールを前記記憶手段に記憶されている記憶更新させる機能として、編集画面がタブまでドラッグされてドロップされた場合に当該編集画面で編集された設定温度スケジュールを当該編集画面がドラッグされてドロップされたタブの曜日の設定温度スケジュールとして記憶更新する機能と、編集画面が縮小表示アイコンまでドラッグされてドロップされた場合に当該編集画面で編集された設定温度スケジュールを当該編集画面がドラッグされてドロップされた縮小表示アイコンの曜日及び当該縮小表示アイコンに重なっている縮小表示アイコンの曜日の設定温度スケジュールとして記憶更新する機能とを有することを特徴とする空調コントローラ。
【発明の詳細な説明】
【技術分野】
【０００１】
本発明は、ユーザが設定可能な設定温度と設定時刻との対応を表す設定温度スケジュールを記憶し、その記憶している設定温度スケジュールを表示するように構成されてなる空調コントローラに関する。
【背景技術】
【０００２】
建物内における複数の部屋の温度制御を集中管理する空調コントローラが供されている。ところで、空調コントローラを操作することで設定温度と設定時刻との対応を表す設定温度スケジュールを設定するユーザにおいては、ある曜日の設定温度スケジュールを設定するような場合には、過去に設定した他の曜日の設定温度スケジュールと比較しながら該当する曜日の設定温度スケジュールを設定したいという要望がある。このような事情から、各曜日の設定温度スケジュールの全てを同一画面上で個別に表示する構成が供されている（例えば特許文献１参照）。また、設定温度と設定時刻との対応を表す設定温度スケジュールに限らず、各曜日のスケジュールの全てを同一画面上で表示する構成が供されている（例えば特許文献２参照）。
【先行技術文献】
【特許文献】
【０００３】
【特許文献１】米国特許出願公開第２００７／００１６３１１号明細書
【特許文献２】特開２００２−２４４９４号公報
【発明の概要】
【発明が解決しようとする課題】
【０００４】
しかしながら、空調コントローラの画面（表示領域）は一般的に小さいという事情から、上記した特許文献１に記載されているように各曜日の設定温度スケジュールの全てを同一画面上で個別に表示する構成では、各曜日の設定温度スケジュールを表示するのに十分な表示面積を確保することができない。その結果、表示面積に対する情報量が多くなり、設定温度スケジュールが見づらく、曜日間で設定温度スケジュールを比較したり変更したりする際の操作性に劣るという問題があった。
【０００５】
本発明は、上記した事情に鑑みてなされたものであり、その目的は、曜日間で設定温度スケジュールを比較したり変更したりする際の操作性を高めることができる空調コントローラを提供することにある。
【課題を解決するための手段】
【０００６】
請求項１に記載した発明によれば、制御手段は、設定温度スケジュールの表示指令を検知すると、記憶手段に記憶されている設定温度スケジュールを表示手段に表示させる処理を行い、表示手段に表示されている設定温度スケジュールを編集可能な編集画面の表示指令を検知すると、編集画面を表示手段に表示させる処理を行い、表示手段に表示されている編集画面で編集された設定温度スケジュールの記憶更新指令を検知すると、編集画面で編集された設定温度スケジュールを記憶手段に記憶されている記憶更新させる処理を行う。この場合、制御手段は、上記した各処理を行うに際して以下に示す機能により以下に示す効果を得ることができる。
【０００７】
記憶手段に記憶されている設定温度スケジュールを表示手段に表示させる際に、各曜日の設定温度スケジュールを表す縮小表示アイコンを曜日毎に区別して同一画面上で表示させる機能により、各曜日の設定温度スケジュールを同時に視認することができ、各曜日の設定温度スケジュールを容易に比較することができる。縮小表示アイコンに曜日を表すタブを添付して表示させる機能により、設定温度スケジュールと曜日とを一目瞭然に対応付けて視認することができ、何れの曜日の設定温度スケジュールであるかを容易に視認することができる。同一の設定温度スケジュールを表す複数の縮小表示アイコンを重ねて表示させる機能により、設定温度スケジュールが複数曜日で同一であるか否かを一目瞭然に視認することができる。同一の設定温度スケジュールを表す複数の縮小表示アイコンのタブを重ねずに表示させる機能により、設定温度スケジュールが同一である曜日が何曜日であるかを一目瞭然に視認することができる。同一の設定温度スケジュールを表す複数の縮小表示アイコンについて縮小表示アイコンが重なっていない縮小表示アイコンの設定温度スケジュールを視認可能とし且つ縮小表示アイコンが重なっている縮小表示アイコンの設定温度スケジュールを視認不可能として表示させる機能により、表示領域を最小限に抑えながら設定温度と設定時刻との対応を視認することができる。
【０００８】
編集画面を表示手段に表示させる際に、タブがタッチされた場合に当該タッチされたタブの曜日の設定温度スケジュールを編集可能な編集画面を表示させる機能により、タブにタッチすることで、タッチされたタブの曜日の設定温度スケジュールを表示させる（開く）ことができる。編集画面を縮小表示アイコンのタブ側に表示させる機能により、編集画面を縮小表示アイコンのタブにドラッグさせる際のドラッグ量（移動量）を短くすることができ、操作性を高めることができると共に、編集画面がドラッグされて誤った位置でドロップされたとしても、編集画面からは縮小表示アイコンよりもタブの方が近いので、編集画面が意図しない縮小表示アイコンまでドラッグされてドロップされてしまう可能性を抑えることができ、複数曜日の設定温度スケジュールが意図に反して記憶更新されてしまう可能性を抑えることができる。タッチされたタブを添付している縮小表示アイコンを継続して表示させる機能により、表示させている（開いている）設定温度スケジュールの曜日を視認することができる。
【０００９】
編集画面で編集された設定温度スケジュールを記憶手段に記憶されている記憶更新させる際に、編集画面がタブまでドラッグされてドロップされると、当該編集画面で編集された設定温度スケジュールを当該編集画面がドラッグされてドロップされたタブの曜日の設定温度スケジュールとして記憶更新する機能により、編集した設定温度スケジュールを何れかの曜日毎に容易に設定することができ、設定温度スケジュールを何れかの曜日毎に容易に変更することができる。編集画面が縮小表示アイコンまでドラッグされてドロップされると、当該編集画面で編集された設定温度スケジュールを当該編集画面がドラッグされてドロップされた縮小表示アイコンの曜日及び当該縮小表示アイコンに重なっている縮小表示アイコンの曜日の設定温度スケジュールとして記憶更新する機能により、編集した設定温度スケジュールを複数曜日毎に容易に設定することができ、設定温度スケジュールを複数曜日毎に容易に変更することができる。
【００１０】
これらにより、曜日間で設定温度スケジュールを比較したり変更したりする際の操作性を格段に高めることができる。
【図面の簡単な説明】
【００１１】
【図１】本発明の一実施形態を示す機能ブロック図
【図２】ホーム画面を示す図
【図３】スケジュール画面を示す図（その１）
【図４】フローチャート（その１）
【図５】フローチャート（その２）
【図６】フローチャート（その３）
【図７】フローチャート（その４）
【図８】フローチャート（その５）
【図９】スケジュール画面を示す図（その２）
【図１０】スケジュール画面を示す図（その３）
【図１１】スケジュール画面を示す図（その４）
【図１２】スケジュール画面を示す図（その５）
【図１３】スケジュール画面を示す図（その６）
【図１４】スケジュール画面を示す図（その７）
【発明を実施するための形態】
【００１２】
以下、本発明の一実施形態について、図面を参照して説明する。図１は空調コントローラの機能ブロック図を示している。空調コントローラ１は、例えば建物の壁面などに取付け可能な形状であり、制御部２（本発明でいう制御手段）と、操作部３（本発明でいう操作手段）と、記憶部４（本発明でいう記憶手段）と、表示部５（本発明でいう表示手段）と、時計部６と、入出力インタフェース（ＩＦ）部７とを備えて構成されている。制御部２は、周知のマイクロコンピュータを主体として構成されており、予め記憶している制御プログラムを実行して記憶部４における記憶動作や表示部５における表示動作を含む空調コントローラの動作全般を制御する。
【００１３】
操作部３は、表示部５を構成する液晶ディスプレイ装置の画面上に形成されるタッチスイッチから構成され、ユーザが手指を液晶ディスプレイ装置の画面に触れると、その手指が触れている位置を表す操作位置信号を制御部２に出力する。制御部２は、操作部３から操作位置信号を入力すると、その操作位置信号を解析してユーザの手指が触れている位置を判定すると共に、その時点で表示部５に表示させている表示内容を判定し、それらの判定結果に基づいて空調コントローラ１の動作を制御する。
【００１４】
記憶部４は、曜日毎の設定温度と設定時刻との対応を表す設定温度スケジュールを記憶する記憶領域を有している。設定温度スケジュールは、例えば午前６時から午前８時までは該当する部屋の温度を２９度に保つように運転し、午前８時から午後６時までは該当する部屋の温度を２５度に保つように運転し、午後６時から午後１０時までは該当する部屋の温度を２９度に保つように運転し、午後１０時から午前６時までは該当する部屋の温度を２６度に保つように運転するというように１日の２４時間分の設定温度を表すものである。制御部２は、ユーザが設定温度スケジュールを表示させる操作を操作部３により行った旨を検知すると、その時点で記憶部４に記憶されている設定温度スケジュールを読出し、その読出した設定温度スケジュールを表示部５に表示させ、また、ユーザが設定温度スケジュールを記憶更新させる操作を操作部３により行った旨を検知すると、その時点で表示部５に表示されている設定温度スケジュールを記憶部４に記憶更新させる。
【００１５】
時計部６は、計時した日時を表す計時信号を制御部２に出力する。入出力ＩＦ部７は、建物内の各部屋に設置されている空調機８と配線９を介して接続されている。制御部２は、時計部６から計時信号を入力すると、その計時信号から日時を判定し、その判定した日時と記憶部４に記憶されている設定温度スケジュールの設定時刻とを照合して温度制御すべきタイミングであるか否かを判定し、温度制御すべきタイミングである旨を判定すると、温度制御指令信号を入出力ＩＦ部７から出力させる。空調機８は、周知の冷房運転や暖房運転などの部屋内の温度を調節する機能を有しており、空調コントローラ１から温度制御指令信号を入力すると、その温度制御指令信号を解析して空調コントローラ１に記憶されている設定温度スケジュールにしたがって運転する。
【００１６】
制御部２は、通常時には図２に示すホーム画面１１（初期画面）を表示部５に表示させている。ホーム画面１１には、年月日を表示する年月日表示エリア１２ａ、実際の温度である室内温度を表示する室内温度表示エリア１２ｂ、運転状態を表示する運転状態表示エリア１２ｃ及び設定温度を表示する設定温度表示エリア１２ｄが設けられていると共に、ユーザがモードを切替えるために操作可能なモード切替ボタン１２ｅ、ユーザがファンを切替えるために操作可能なファン切替ボタン１２ｆ、ユーザが設定温度を上げるために操作可能な設定温度アップボタン１２ｇ、ユーザが設定温度を下げるために操作可能な設定温度ダウンボタン１２ｈ、ユーザが設定温度スケジュールを設定するために操作可能な設定ボタン１２ｉ及びユーザが設定温度スケジュールを表示させる（呼出す）ために操作可能なスケジュールボタン１２ｊが表示されている。制御部２は、ホーム画面１１のスケジュールボタン１２ｊが操作された旨を検知すると、図３に示す詳しくは後述するスケジュール画面１３を表示部５に表示させる（ホーム画面１１からスケジュール画面１３に切替える）。
【００１７】
次に、上記した構成の作用について、図４乃至図１４を参照して説明する。図４乃至図８は制御部２が行う処理をフローチャートにより示している。尚、これ以降、ユーザがスケジュール画面１３で行う操作としてはタッチ、ドラッグ及びドロップがあり、ユーザが手指をスケジュール画面１３に触れる操作をタッチと称し、ユーザが手指をスケジュール画面１３に触れさせたままで移動させる（なぞる）操作をドラッグと称し、ユーザがスケジュール画面１３に触れさせている手指を画面から離す操作をドロップと称する。
【００１８】
制御部２は、空調コントローラ１が電源オフにあるときには低消費電力動作（スリープ動作）で電源オンを監視しており、電源オンを検知すると、低消費電力動作から通常動作に移行する（起動する）。制御部２は、電源オンを検知し、低消費電力動作から通常動作に移行すると、初期設定を行い、全曜日の設定温度スケジュールをデフォルトスケジュールに設定し（ステップＳ１）、上記した図２に示したホーム画面１１を表示部５に表示させる（ステップＳ２）。
【００１９】
ユーザは、このようにしてホーム画面１１が表示部５に表示されている状態では、モード切替ボタン１２ｅ、ファン切替ボタン１２ｆ、設定温度アップボタン１２ｇ、設定温度ダウンボタン１２ｈ、設定ボタン１２ｉ及びスケジュールボタン１２ｊのうち何れかを操作することが可能であり、制御部２は、ホーム画面１１のモード切替ボタン１２ｅ、ファン切替ボタン１２ｆ、設定温度アップボタン１２ｇ、設定温度ダウンボタン１２ｈ、設定ボタン１２ｉ及びスケジュールボタン１２ｊのうち何れかが操作されたかを判定する（ステップＳ３）。
【００２０】
ここで、制御部２は、スケジュールボタン１２ｊが操作された旨を検知すると、スケジュール画面１１を表示部５に表示させるスケジュール画面表示処理に移行する（ステップＳ４）。一方、制御部２は、スケジュールボタン１２ｊ以外のボタンが操作された旨を検知すると、その操作されたボタンに対応する処理に移行する（ステップＳ５）。つまり、制御部２は、例えばモード切替ボタン１２ｅが操作された旨を検知すると、モードを切替えるモード切替処理に移行し、ファン切替ボタン１２ｆが操作された旨を検知すると、ファンを切替えるファン切替処理に移行し、設定温度アップボタン１２ｇまたは設定温度ダウンボタン１２ｈが操作された旨を検知すると、設定温度を変更する設定温度変更処理に移行する。尚、スケジュールボタン１２ｊ以外のボタンが操作された場合に制御部２が行う処理の詳細な説明は省略する。
【００２１】
制御部２は、スケジュール画面表示処理に移行すると、初期設定を行い、グループ１〜７を定義し（ステップＳ１１）、編集用変数に現在の設定温度スケジュールを格納し（ステップＳ１２）、グループ１を編集グループとして設定する（ステップＳ１３）。次いで、制御部２は、各曜日の設定温度スケジュールを比較して同一の設定温度スケジュールが有るか否かを判定する（ステップＳ１４）。ここで、制御部２は、同一の設定温度スケジュールが有る旨を判定すると（ステップＳ１４にて「ＹＥＳ」）、同一の設定温度スケジュールが設定されている曜日をグループ化する（ステップＳ１５）。尚、制御部２は、設定温度スケジュールを設定しないグループについては「０」を設定する。
【００２２】
具体例を挙げると、制御部２は、例えば月曜日と火曜日と水曜日と木曜日の設定温度スケジュールが同一であり、金曜日の設定温度スケジュールが他の何れの曜日の設定温度スケジュールとも異なり、土曜日の設定温度スケジュールが他の何れの曜日の設定温度スケジュールとも異なり、日曜日の設定温度スケジュールが他の何れの曜日の設定温度スケジュールとも異なる場合であれば、グループ１に月曜日と火曜日と水曜日と木曜日の設定温度スケジュールを設定し、グループ２に金曜日の設定温度スケジュールを設定し、グループ３に土曜日の設定温度スケジュールを設定し、グループ４に日曜日の設定温度スケジュールを設定し、グループ５〜７に「０」を設定する。
【００２３】
次いで、制御部２は、このように各曜日の設定温度スケジュールをグループ化した後では、図３に示すように、「０」を設定したグループ以外のグループに設定した設定温度スケジュールを表す縮小表示アイコンをスケジュール画面１３の縮小表示エリア１４ａに表示させ（ステップＳ１６）、編集グループに設定した設定温度スケジュールを編集可能な編集画面をスケジュール画面１３の拡大表示エリア１４ｂに表示させ（ステップＳ１７）、編集グループに設定した設定温度スケジュールの曜日をスケジュール画面１３の曜日ラベル表示エリア１４ｃに表示させる（ステップＳ１８）。縮小表示エリア１４ａはユーザが空調コントローラ１の表示部５に正対したときにユーザから見て左側に位置するエリアであり、拡大表示エリア１４ｂはユーザが空調コントローラ１の表示部５に正対したときにユーザから見て右側に位置するエリアである。
【００２４】
制御部２は、上記したようにグループ化した場合であれば、グループ１に設定した月曜日と火曜日と水曜日と木曜日の設定温度スケジュールを表す縮小表示アイコン１５ａ〜１５ｄ、グループ２に設定した金曜日の設定温度スケジュールを表す縮小表示アイコン１５ｅ、グループ３に設定した土曜日の設定温度スケジュールを表す縮小表示アイコン１５ｆ、グループ４に設定した日曜日の設定温度スケジュールを表す縮小表示アイコン１５ｇをスケジュール画面１３の縮小表示エリア１４ａに縦方向に並べて表示させる。この場合、制御部２は、各縮小表示アイコン１５ａ〜１５ｇに対応する曜日を表すタブ１６ａ〜１６ｇを添付して表示させる。また、制御部２は、同一グループに属する縮小表示アイコン１５ａ〜１５ｄについては縮小表示アイコン１５ａ〜１５ｄを重ねて表示させると共に当該縮小表示アイコン１５ａ〜１５ｄのタブ１６ａ〜１６ｄを重ねずに表示させる。
【００２５】
また、制御部２は、編集グループであるグループ１に設定した月曜日と火曜日と水曜日と木曜日の設定温度スケジュールを編集可能な編集画面１７をスケジュール画面１３の拡大表示エリア１４ｂに表示させ、編集グループであるグループ１に設定した曜日が月曜日と火曜日と水曜日と木曜日であることを示す「月，火，水，木」をスケジュール画面１３の曜日ラベル表示エリア１４ｃに表示させる。また、制御部２は、ユーザがキャンセルするために操作可能なキャンセルボタン１８ａ及びユーザがスケジュール画面表示を終了させるために操作可能な終了ボタン１８ｂを表示させる。
【００２６】
ユーザは、このようにしてスケジュール画面１３が表示部５に表示されている状態では、編集画面１７の時刻設定線をドラッグしたり、編集画面１７の温度設定線をドラッグしたり、縮小表示アイコン１５ａ〜１５ｇのタブ１６ａ〜１６ｇのうち何れかをタッチしたり、編集画面１７をドラッグしたり、キャンセルボタン１８ａ及び終了ボタン１８ｂのうち何れかを操作したりすることが可能であり、制御部２は、編集画面１７の時刻設定線がドラッグされたか否かを判定し（ステップＳ１９）、編集画面１７の温度設定線がドラッグされたか否かを判定し（ステップＳ２０）、縮小表示アイコン１５ａ〜１５ｇのタブ１６ａ〜１６ｇのうち何れかがタッチされたか否かを判定し（ステップＳ２１）、編集画面１７がドラッグされたか否かを判定し（ステップＳ２２）、キャンセルボタン１８ａが操作されたか否かを判定し（ステップＳ２３）、終了ボタン１８ｂが操作されたか否かを判定する（ステップＳ２４）。
【００２７】
ここで、制御部２は、編集画面１７の時刻設定線がドラッグされた旨を判定すると（ステップＳ１９にて「ＹＥＳ」）、時刻設定線ドラッグ処理に移行する（ステップＳ２５）。制御部２は、時刻設定線ドラッグ処理に移行すると、ドロップされたか否かを判定し（ステップＳ３１）、ドロップされた旨を判定すると（ステップＳ３１にて「ＹＥＳ」）、そのドロップされた位置が編集画面１７上で規定範囲内（例えば現在の設定時刻からの差が規定時間内）であるか否かを判定することで設定時刻を変更可能な位置であるか否かを判定する（ステップＳ３２）。ここで、制御部２は、ドロップされた位置が設定時刻を変更可能な位置である旨を判定すると（ステップＳ３２にて「ＹＥＳ」）、ドロップされた位置を新たな設定時刻として確定し（ステップＳ３３）、その確定した新たな設定時刻を編集グループの設定時刻として保存し（ステップＳ３４）、時刻設定線ドラッグ処理を終了してスケジュール画面表示処理にリターンする。
【００２８】
具体例を挙げると、制御部２は、図９に示すように、先に説明した図３に示した編集画面１７で午後１０時を表す時刻設定線（２５度から２９度への設定温度変更タイミングを表す線）（図９中「Ｌ１」参照）が午後１１時の位置までドラッグされてドロップされた旨を判定すると（図９中「Ｌ２」参照）、午後１１時を編集グループの設定時刻として保存する。尚、制御部２は、ドロップされた位置が設定時刻を変更可能な位置でない旨を判定すると（ステップＳ３２にて「ＮＯ」）、新たな設定時刻を編集グループの設定時刻として保存することなく、時刻設定線ドラッグ処理を終了してスケジュール画面表示処理にリターンする。
【００２９】
また、制御部２は、編集画面１７の温度設定線がドラッグされた旨を判定すると（ステップＳ２０にて「ＹＥＳ」）、温度設定線ドラッグ処理に移行する（ステップＳ２６）。制御部２は、温度設定線ドラッグ処理に移行すると、ドロップされたか否かを判定し（ステップＳ４１）、ドロップされた旨を判定すると（ステップＳ４１にて「ＹＥＳ」）、そのドロップされた位置が編集画面１７上で規定範囲内（例えば現在の設定温度からの差が規定温度内）であるか否かを判定することで設定温度を変更可能な位置であるか否かを判定する（ステップＳ４２）。ここで、制御部２は、ドロップされた位置が設定温度を変更可能な位置である旨を判定すると（ステップＳ４２にて「ＹＥＳ」）、ドロップされた位置を新たな設定温度として確定し（ステップＳ４３）、その確定した新たな設定温度を編集グループの設定温度として保存し（ステップＳ４４）、温度設定線ドラッグ処理を終了してスケジュール画面表示処理にリターンする。
【００３０】
具体例を挙げると、制御部２は、図１０に示すように、先に説明した図９に示した編集画面１７で２５度を表す温度設定線（図１０中「Ｌ３」参照）が２７度の位置までドラッグされてドロップされた旨を判定すると（図１０中「Ｌ４」参照）、２７度を編集グループの設定温度として保存する。尚、制御部２は、ドロップされた位置が設定温度を変更可能な位置でない旨を判定すると（ステップＳ４２にて「ＮＯ」）、新たな設定温度を編集グループの設定温度として保存することなく、温度設定線ドラッグ処理を終了してスケジュール画面表示処理にリターンする。
【００３１】
また、制御部２は、縮小表示アイコン１５ａ〜１５ｇのタブ１６ａ〜１６ｇのうち何れかがタッチされた旨を判定すると（ステップＳ２１にて「ＹＥＳ」）、そのタッチされたグループを編集グループとして設定する（ステップＳ２７）。つまり、制御部２は、縮小表示アイコン１５ｅのタブ１６ｅがタッチされた旨を判定すると、金曜日の設定温度スケジュールを編集可能な編集画面をスケジュール画面１３の拡大表示エリア１４ｂに表示させ、縮小表示アイコン１５ｆのタブ１６ｆがタッチされた旨を判定すると、土曜日の設定温度スケジュールを編集可能な編集画面をスケジュール画面１３の拡大表示エリア１４ｂに表示させ、縮小表示アイコン１５ｇのタブ１６ｇがタッチされた旨を判定すると、日曜日の設定温度スケジュールを編集可能な編集画面をスケジュール画面１３の拡大表示エリア１４ｂに表示させる。
【００３２】
また、制御部２は、編集画面１７がドラッグされた旨を判定すると（ステップＳ２２にて「ＹＥＳ」）、編集画面ドラッグ処理に移行する（ステップＳ２８）。制御部２は、編集画面ドラッグ処理に移行すると、ドロップされたか否かを判定し（ステップＳ５１）、ドロップされた旨を判定すると（ステップＳ５１にて「ＹＥＳ」）、そのドロップされた位置がタブ１６ａ〜１６ｄのうち何れかであるか縮小表示アイコン１５ａ〜１５ｄのうち何れかであるかを判定する（ステップＳ５２，Ｓ５３）。
【００３３】
ここで、制御部２は、ドロップされた位置がタブ１６ａ〜１６ｄのうち何れかである旨を判定すると（ステップＳ５２にて「ＹＥＳ」）、編集された編集画面１７の設定温度スケジュールの保存先として当該ドロップされたタブ１６ａ〜１６ｄの曜日を確定し（ステップＳ５４）、編集された編集画面１７の設定温度スケジュールを該当する曜日の設定温度スケジュールとして記憶更新し（ステップＳ５４）、編集画面ドラッグ処理を終了してスケジュール画面表示処理にリターンする。
【００３４】
具体例を挙げると、制御部２は、図１１に示すように、先に説明した図１０に示した編集画面１７が木曜日のタブ１６ｄの位置までドラッグされてドロップされた旨を判定すると、編集された編集画面１７の設定温度スケジュールを木曜日の設定温度スケジュールとして記憶更新する。そして、この場合、制御部２は、このようにして新たに設定した設定温度スケジュールが木曜日だけを対象とするものであり、木曜日の設定温度スケジュールが月曜日と火曜日と水曜日の設定温度スケジュールとは異なるので、新たにグループを追加し、図１２に示すように、木曜日の設定温度スケジュールを表す縮小表示アイコン１５ｄを月曜日と火曜日と水曜日の設定温度スケジュールを表す縮小表示アイコン１５ａ〜１５ｃとは別に表示させる。
【００３５】
一方、制御部２は、ドロップされた位置が縮小表示アイコン１５ａ〜１５ｄのうち何れかである旨を判定すると（ステップＳ５３にて「ＹＥＳ」）、編集された編集画面１７の設定温度スケジュールの保存先として当該ドロップされた縮小表示アイコン１５ａ〜１５ｄの曜日を確定し（ステップＳ５５）、編集された編集画面１７の設定温度スケジュールを該当する曜日の設定温度スケジュールとして記憶更新し（ステップＳ５７）、編集画面ドラッグ処理を終了してスケジュール画面表示処理にリターンする。
【００３６】
具体例を挙げると、制御部２は、図１３に示すように、先に説明した図１０に示した編集画面１７が月曜日の設定温度スケジュールを表す縮小表示アイコン１５ａまでドラッグされてドロップされた旨を判定すると、編集された編集画面１７の設定温度スケジュールを月曜日と火曜日と水曜日と木曜日の設定温度スケジュールとして記憶更新する。そして、この場合、制御部２は、このようにして新たに設定した設定温度スケジュールが木曜日だけを対象とするものでなく、月曜日と火曜日と水曜日と木曜日を対象とするものであるので、新たにグループを追加することなく、図１４に示すように、月曜日と火曜日と水曜日と木曜日の設定温度スケジュールを表す縮小表示アイコン１５ａ〜１５ｄのグループ化を継続して表示させる。
【００３７】
尚、制御部２は、ドロップされた位置がタブ１６ａ〜１６ｄ及び縮小表示アイコンの１５ａ〜１５ｄ何れでもない旨を判定すると（ステップＳ５２にて「ＮＯ」、Ｓ５３にて「ＮＯ」）、編集された編集画面１７の設定温度スケジュールの保存先を確定することなく、編集画面ドラッグ処理を終了してスケジュール画面表示処理にリターンする。また、制御部２は、キャンセルボタン１８ａが操作された旨を判定すると（ステップＳ２３にて「ＹＥＳ」）、スケジュール画面表示処理を終了してリターンする。また、制御部２は、終了ボタン１８ｂが操作された旨を判定すると（ステップＳ２４にて「ＹＥＳ」）、編集結果を保存した後に（ステップＳ２９）、スケジュール画面表示処理を終了してリターンする。
【００３８】
以上に説明したように本実施形態によれば、空調コントローラ１において、各曜日の設定温度スケジュールを表す縮小表示アイコン１５ａ〜１５ｇを曜日毎に区別して同一画面上で表示させる機能により、各曜日の設定温度スケジュールを同時に視認することができ、各曜日の設定温度スケジュールを容易に比較することができる。縮小表示アイコン１５ａ〜１５ｇに曜日を表すタブ１６ａ〜１６ｇを添付して表示させる機能により、設定温度スケジュールと曜日とを一目瞭然に対応付けて視認することができ、何れの曜日の設定温度スケジュールであるかを容易に視認することができる。同一の設定温度スケジュールを表す複数の縮小表示アイコン１５ａ〜１５ｇを重ねて表示させる機能により、設定温度スケジュールが複数曜日で同一であるか否かを一目瞭然に視認することができる。同一の設定温度スケジュールを表す複数の縮小表示アイコン１５ａ〜１５ｇのタブ１６ａ〜１６ｇを重ねずに表示させる機能により、設定温度スケジュールが同一である曜日が何曜日であるかを一目瞭然に視認することができる。同一の設定温度スケジュールを表す複数の縮小表示アイコン１５ａ〜１５ｇについて縮小表示アイコンが重なっていない縮小表示アイコンの設定温度スケジュールを視認可能とし且つ縮小表示アイコンが重なっている縮小表示アイコンの設定温度スケジュールを視認不可能として表示させる機能により、表示領域を最小限に抑えながら設定温度と設定時刻との対応を視認することができる。
【００３９】
タブ１６ａ〜１６ｇがタッチされると、そのタッチされたタブ１６ａ〜１６ｇの曜日の設定温度スケジュールを編集可能な編集画面１７を表示させる機能により、タブ１６ａ〜１６ｇにタッチすることで、タッチされたタブ１６ａ〜１６ｇの曜日の設定温度スケジュールを表示させる（開く）ことができる。編集画面１７を縮小表示アイコン１５ａ〜１５ｇのタブ１６ａ〜１６ｇ側に表示させる機能により、編集画面を縮小表示アイコンのタブにドラッグさせる際のドラッグ量（移動量）を短くすることができ、操作性を高めることができると共に、編集画面１７がドラッグされて誤った位置でドロップされたとしても、編集画面１７からは縮小表示アイコン１５ａ〜１５ｇよりもタブ１６ａ〜１６ｇの方が近いので、編集画面１７が意図しない縮小表示アイコン１５ａ〜１５ｇまでドラッグされてドロップされてしまう可能性を抑えることができ、複数曜日の設定温度スケジュールが意図に反して記憶更新されてしまう可能性を抑えることができる。タッチされたタブ１６ａ〜１６ｇを添付している縮小表示アイコン１５ａ〜１５ｇを継続して表示させる機能により、表示させている（開いている）設定温度スケジュールの曜日を視認することができる。
【００４０】
また、編集画面１７がタブ１６ａ〜１６ｇまでドラッグされてドロップされると、その編集画面１７で編集された設定温度スケジュールを当該編集画面１７がドラッグされてドロップされたタブ１６ａ〜１６ｇの曜日の設定温度スケジュールとして記憶更新する機能により、編集した設定温度スケジュールを何れかの曜日毎に容易に設定することができ、設定温度スケジュールを何れかの曜日毎に容易に変更することができる。編集画面が縮小表示アイコン１５ａ〜１５ｇまでドラッグされてドロップされると、その編集画面で編集された設定温度スケジュールを当該編集画面がドラッグされてドロップされた縮小表示アイコン１５ａ〜１５ｇの曜日及び当該縮小表示アイコン縮小表示アイコン１５ａ〜１５ｇに重なっている縮小表示アイコン１５ａ〜１５ｇの曜日の設定温度スケジュールとして記憶更新する機能により、編集した設定温度スケジュールを複数曜日毎に容易に設定することができ、設定温度スケジュールを複数曜日毎に容易に変更することができる。この場合、編集画面１７を縮小表示アイコン１５ａ〜１５ｇのタブ１６ａ〜１６ｇ側に表示させる機能により、編集画面１７を縮小表示アイコン１５ａ〜１５ｇまでドラッグさせてドロップさせる際の移動量を、編集画面１７をタブ１６ａ〜１６ｇまでドラッグさせてドロップさせる際の移動量よりも長くすることができ、グループ全体の設定温度スケジュールを誤って変更してしまう可能性を少なくすることができる。
【００４１】
本発明は、上記した実施形態にのみ限定されるものではなく、以下のように変形または拡張することができる。
ユーザが操作する方法としては、手指でタッチ、ドラッグ及びドロップする方法に限らず、タッチペンなどを用いてタッチ、ドラッグ及びドロップする方法であっても良い。
【符号の説明】
【００４２】
図面中、１は空調コントローラ、２は制御部（制御手段）、３は操作部（操作手段）、４は記憶部（記憶手段）、５は表示部（表示手段）である。
【図１】
2010159922.tif 000003
【図２】
2010159922.tif 000004
【図３】
2010159922.tif 000005
【図４】
2010159922.tif 000006
【図５】
2010159922.tif 000007
【図６】
2010159922.tif 000008
【図７】
2010159922.tif 000009
【図８】
2010159922.tif 000010
【図９】
2010159922.tif 000011
【図１０】
2010159922.tif 000012
【図１１】
2010159922.tif 000013
【図１２】
2010159922.tif 000014
【図１３】
2010159922.tif 000015
【図１４】
2010159922.tif 000016